(57)【要約】【課題】経パイル織物の縦横と共に斜め方向でのグリンニングをも解消する。【解決手段】経糸の長さ方向の前方と後方の何れか一方のパイル面側を基準とする位置関係において、パイル係止緯糸の右端の経糸がパイル先端側に向かって緯糸の上を越え、その緯糸の左端の経糸がパイル根底側に向かって緯糸の下に潜る左上がり−右下がりのパイル係止緯糸Ｌと、パイル係止緯糸の左端の経糸がパイル先端側に向かって緯糸の上を越え、その緯糸の右端の経糸がパイル根底側に向かって緯糸の下に潜る右上がり−左下がりのパイル係止緯糸Ｒと、パイル係止緯糸の左端と右端との双方の経糸がパイル先端側に向かって緯糸の上を超える両端下がりのパイル係止緯糸Ｚとの合計３種類のパイル係止緯糸をベース織地に混在させる。その３種類の何れかのパイル係止緯糸に係止され、各パイル列Ｐの製織方向において前後して隣合うパイルａ・ｂを互いに左右逆方向に偏在させる。【選択図】図１
2007009354.tif 000002
【特許請求の範囲】
【請求項１】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）と、（３）  パイル列（Ｐ）の左側の経糸（Ｅ）とパイル列（Ｐ）の右側の経糸（Ｆ）との双方の経糸（Ｅ・Ｆ）の下を潜る両端下がりのパイル係止緯糸（Ｚ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、両端下がりのパイル係止緯糸（Ｚ）に係止されている固定左パイル（ｎ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）と、（２）  パイル列（Ｐ）の右側に偏在し、両端下がりのパイル係止緯糸（Ｚ）に係止されている固定右パイル（ｍ）であり、
（２−４）  それら４種類のパイル（ｌ、ｒ、ｍ、ｎ）がそれぞれ製織方向、織幅方向、および、それらの方向に交叉する斜め方向において連続する数が２個以下である経パイル織物。
【請求項２】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）、（２）  パイル列（Ｐ）の右側に偏在し、左上がり−右下がりのパイル係止緯糸（Ｌ）に係止されている擬左流れパイル（ｈ）であり、
（２−４）  それら４種類のパイル（ｌ、ｒ、ｇ、ｈ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合っている経パイル織物。
【請求項３】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）、（２）  パイル列（Ｐ）の右側に偏在し、左上がり−右下がりのパイル係止緯糸（Ｌ）に係止されている擬左流れパイル（ｈ）であり、
（２−４）  それら４種類のパイル（ｌ、ｒ、ｇ、ｈ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合っており、
（２−６）  何れかのパイル列において擬右流れパイル（ｇ）と右流れパイル（ｒ）が前後隣合い、又は、擬左流れパイル（ｈ）と左流れパイル（ｌ）が前後隣合って混在している経パイル織物。
【請求項４】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）と、（３）  パイル列（Ｐ）の左側の経糸（Ｅ）とパイル列（Ｐ）の右側の経糸（Ｆ）との双方の経糸（Ｅ・Ｆ）の下を潜る両端下がりのパイル係止緯糸（Ｚ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）と、（３）  パイル列（Ｐ）の左側に偏在し、両端下がりのパイル係止緯糸（Ｚ）に係止されている固定左パイル（ｎ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）と、（２）  パイル列（Ｐ）の右側に偏在し、左上がり−右下がりのパイル係止緯糸（Ｌ）に係止されている擬左流れパイル（ｈ）と、（３）  パイル列（Ｐ）の右側に偏在し、両端下がりのパイル係止緯糸（Ｚ）に係止されている固定右パイル（ｍ）であり、
（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合って混在、又は、固定右パイル（ｍ）と固定左パイル（ｎ）が混在している経パイル織物。
【請求項５】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）と、（３）  パイル列（Ｐ）の左側の経糸（Ｅ）とパイル列（Ｐ）の右側の経糸（Ｆ）との双方の経糸（Ｅ・Ｆ）の下を潜る両端下がりのパイル係止緯糸（Ｚ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）と、（３）  パイル列（Ｐ）の左側に偏在し、両端下がりのパイル係止緯糸（Ｚ）に係止されている固定左パイル（ｎ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）と、（２）  パイル列（Ｐ）の右側に偏在し、左上がり−右下がりのパイル係止緯糸（Ｌ）に係止されている擬左流れパイル（ｈ）と、（３）  パイル列（Ｐ）の右側に偏在し、両端下がりのパイル係止緯糸（Ｚ）に係止されている固定右パイル（ｍ）であり、
（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合って混在、又は、固定右パイル（ｍ）と固定左パイル（ｎ）が混在しており、
（２−６）  何れかのパイル列において擬右流れパイル（ｇ）と右流れパイル（ｒ）が前後隣合い、又は、擬左流れパイル（ｈ）と左流れパイル（ｌ）が前後隣合って混在している経パイル織物。
【請求項６】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）と、（３）  パイル列（Ｐ）の左側の経糸（Ｅ）とパイル列（Ｐ）の右側の経糸（Ｆ）との双方の経糸（Ｅ・Ｆ）の下を潜る両端下がりのパイル係止緯糸（Ｚ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）と、（３）  パイル列（Ｐ）の左側に偏在し、両端下がりのパイル係止緯糸（Ｚ）に係止されている固定左パイル（ｎ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）と、（２）  パイル列（Ｐ）の右側に偏在し、左上がり−右下がりのパイル係止緯糸（Ｌ）に係止されている擬左流れパイル（ｈ）と、（３）  パイル列（Ｐ）の右側に偏在し、両端下がりのパイル係止緯糸（Ｚ）に係止されている固定右パイル（ｍ）であり、
（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合って混在、又は、固定右パイル（ｍ）と固定左パイル（ｎ）が混在しており、
（２−７）  何れかのパイル列（Ｐ）において固定左パイル（ｎ）と右流れパイル（ｒ）が前後隣合い、又は、左流れパイル（ｌ）と固定右パイル（ｍ）が前後隣合って混在している経パイル織物。
【請求項７】
（１−１）  パイル層嵩密度が０．０３ｇ／ｃｍ3 以上であり、
（１−２）  経糸１本おきにパイルが形成されているパイル列（Ｐ）とパイルが形成されていない無パイル列（Ｑ）が織幅方向に交互し、２本の経糸（Ｅ・Ｆ）につき１列の割合でパイル列（Ｐ）が介在しており、
（１−３）  各パイル列には、パイルを係止している１〜２本のパイル係止緯糸と、パイルを係止していない１〜２本のパイル無係止緯糸が、製織方向に交互して並んでおり、
（１−４）  織幅方向において隣合う一方のパイル列（Ｐ）のパイル係止緯糸は、他方のパイル列（Ｐ）のパイル無係止緯糸（Ｋ）に連続しており、
（１−５）  織幅方向において隣合う一方のパイル列（Ｐ）の各パイルは、織幅方向において隣合う他方のパイル列（Ｐ）のパイル無係止緯糸（Ｋ）の構成する無パイル部（Ｋ）に隣合い、織幅方向と製織方向の斜め方向において隣合う他方のパイル列（Ｐ）のパイルに隣合い、それらのパイルが市松模様状に並んでパイル面を構成しており、
（１−６）  パイル係止緯糸とパイル無係止緯糸（Ｋ）は、各パイル列（Ｐ）において、その隣合う無パイル列（Ｑ）の製織方向において隣合う２本の経糸の中の何れか１本の経糸（Ｅ）の上を越え、その残りの他の１本の経糸（Ｆ）の下に潜ってベース織地（Ｇ）を形成しており、
（１−７）  パイル面を上側とし、製織方向の前方と後方の何れか一方向を基準とする上下・前後・左右の位置関係において、各パイル列（Ｐ）の製織方向において前後して隣合うパイル（ａ）とパイル（ｂ）が互いに左右逆方向に偏在しており、
（２−１）  各パイル列（Ｐ）の何れかのパイル係止緯糸が、（１）  パイル列（Ｐ）の左側の経糸（Ｅ）の上を越え、パイル列（Ｐ）の右側の経糸（Ｆ）の下を潜る左上がり−右下がりのパイル係止緯糸（Ｌ）と、（２）  パイル列（Ｐ）の左側の経糸（Ｅ）の下を潜り、パイル列（Ｐ）の右側の経糸（Ｆ）の上を越える左下がり−右上がりのパイル係止緯糸（Ｒ）と、（３）  パイル列（Ｐ）の左側の経糸（Ｅ）とパイル列（Ｐ）の右側の経糸（Ｆ）との双方の経糸（Ｅ・Ｆ）の下を潜る両端下がりのパイル係止緯糸（Ｚ）であり、
（２−２）  各パイル列（Ｐ）の何れかの左偏りのパイル（ａ）が、（１）  パイル列（Ｐ）の左側に偏在し、左上がり−右下がりのパイル係止緯糸（Ｌ）に係止されている左流れパイル（ｌ）と、（２）  パイル列（Ｐ）の左側に偏在し、左下がり−右上がりのパイル係止緯糸（Ｒ）に係止されている擬右流れパイル（ｇ）と、（３）  パイル列（Ｐ）の左側に偏在し、両端下がりのパイル係止緯糸（Ｚ）に係止されている固定左パイル（ｎ）であり、
（２−３）  各パイル列（Ｐ）の何れかの右偏りのパイル（ｂ）が、（１）  パイル列（Ｐ）の右側に偏在し、左下がり−右上がりのパイル係止緯糸（Ｒ）に係止されている右流れパイル（ｒ）と、（２）  パイル列（Ｐ）の右側に偏在し、左上がり−右下がりのパイル係止緯糸（Ｌ）に係止されている擬左流れパイル（ｈ）と、（３）  パイル列（Ｐ）の右側に偏在し、両端下がりのパイル係止緯糸（Ｚ）に係止されている固定右パイル（ｍ）であり、
（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、
（２−５）  各パイル列（Ｐ）において擬右流れパイル（ｇ）と擬左流れパイル（ｈ）が前後隣合って混在、又は、固定右パイル（ｍ）と固定左パイル（ｎ）が混在しており、
（２−８）  何れかのパイル列（Ｐ）において擬右流れパイル（ｇ）と固定右パイル（ｍ）、又は、擬左流れパイル（ｈ）と固定左パイル（ｎ）の何れかが前後隣合って混在している経パイル織物。
【発明の詳細な説明】
【技術分野】
【０００１】
本発明は、椅子張地や車両内装材、特に、車両座席表面材に使用される経パイル織物に関するものである。
【背景技術】
【０００２】
経パイル織物は、その一部を折り曲げて使用される場合がある。例えば、椅子張地に使用する場合には椅子本体の角部で折り曲げられ、車両内装材に使用する場合には縫目において折り返され、階段に敷き込まれるカーペットは階段の踏板の角部で折り曲げられる。その場合、パイルは直交する地経糸や地緯糸の長さ方向に真っ直ぐに連続して形成されているので、それらの長さ方向に沿って折り曲げる場合には、その折り目の底に経パイル織物のベース織地が現われることになる。そのようにして折り目の底にベース織地が現れることを「地割れ」、或いは、歯を食いしばって剥き出しにした状態に似ているので「グリンニング」と称される。
【０００３】
このグリンニングを解消する方法として、経糸と緯糸で織成されるベース織地の緯糸にパイル糸を接結して成る経パイル織物の、経糸の長さ方向の前方と後方の何れか一方のパイル面側を基準とする上下左右の位置関係において、パイルを係止しているパイル係止緯糸の右端の経糸がパイル先端側に向かって緯糸の上を越え、その緯糸の左端の経糸がパイル根底側に向かって緯糸の下に潜る左上がり−右下がりのパイル係止緯糸と、パイルを係止しているパイル係止緯糸の左端の経糸がパイル先端側に向かって緯糸の上を越え、その緯糸の右端の経糸がパイル根底側に向かって緯糸の下に潜る右上がり−左下がりのパイル係止緯糸をベース織地に混在させ、左上がり−右下がりのパイル係止緯糸の係止するパイルを、その緯糸が左上がりに越える左側の経糸の上を越えて左側に移動可能にし、右上がり−左下がりのパイル係止緯糸の係止するパイルを、その緯糸が右上がりに越える右側の経糸の上を越えて右側に移動可能にし、そうすることによって経糸の長さ方向に一直線状に並ぶべきパイルの配列を乱し、隣合うパイル列とパイル列の間に移動したパイルを介在させる方法が公知である（例えば、特許文献１参照）。他の方法として、パイル列を間に挟んで隣合う経糸と経糸を、緯糸に対して相互に異なった織形態で織り込んでベース織地を構成し、その隣合う経糸と経糸が緯糸に対して上に配置されている位置と位置の間においてパイルを緯糸に係止すると共に、そのパイルの根元を、緯糸の上に配置されて隣合う経糸と経糸によって挟み込む方法が公知である（例えば、特許文献２参照）。
【特許文献１】特開平０７−１１８９９３号公報
【特許文献２】特開２００２−１３０４６号公報
【発明の開示】
【発明が解決しようとする課題】
【０００４】
グリンニング防止のための従来技術によると、経糸の長さ方向と緯糸の長さ方向、つまり縦横におけるグリンニングは解消されるものの、経糸の長さ方向と緯糸の長さ方向との双方に交叉する方向、即ち、斜め方向におけるグリンニングは解消されない。
【０００５】
そこで、本発明は、経パイル織物の縦横におけるグリンニングのみならず、斜め方向におけるグリンニングをも解消することを目的とする。
【課題を解決するための手段】
【０００６】
本発明に係る経パイル織物は、（１−１）  パイル層嵩密度が０．０３ｇ／ｃｍ3 以上であり、（１−２）  経糸１本おきにパイルが形成されているパイル列Ｐとパイルが形成されていない無パイル列Ｑが織幅方向に交互し、２本の経糸Ｅ・Ｆにつき１列の割合でパイル列Ｐが介在しており、（１−３）  各パイル列Ｐには、パイルを係止している１〜２本のパイル係止緯糸と、パイルを係止していない１〜２本のパイル無係止緯糸Ｋが、製織方向に交互して並んでおり、（１−４）  織幅方向において隣合う一方のパイル列Ｐのパイル係止緯糸は、他方のパイル列Ｐのパイル無係止緯糸Ｋに連続していること、つまり、（１−５）  織幅方向において隣合う一方のパイル列Ｐの各パイルは、織幅方向において隣合う他方のパイル列Ｐのパイル無係止緯糸Ｋの構成する無パイル部（Ｋ）に隣合い、織幅方向と製織方向の斜め方向において隣合う他方のパイル列Ｐのパイルに隣合い、それらのパイルが市松或いは千鳥模様状に縦横と左右斜め方向に飛び飛びに配置されていること、（１−６）  パイル係止緯糸とパイル無係止緯糸Ｋは、各パイル列Ｐにおいて、その隣合う無パイル列Ｑの製織方向において隣合う２本の経糸Ｅ・Ｆの中の何れか１本の経糸（Ｅ）の上を越え、その残りの他の１本の経糸（Ｆ）の下に潜ってベース織地Ｇを形成しており、（１−７）  パイル面を上側とし、製織方向の前方と後方の何れか一方向を基準とする上下・前後・左右の位置関係において、各パイル列Ｐの製織方向において前後して隣合うパイルａとパイルｂが互いに左右逆方向に偏在していることを第１の特徴とする。
【０００７】
本発明に係る経パイル織物の第２の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、両端下がりのパイル係止緯糸Ｚに係止されている固定左パイルｎであり、（２−３）  各パイル列Ｐの何れかの右偏りのパイルｂが、（１）
パイル列Ｐの右側に偏在し、左下がり−右上がりのパイル係止緯糸Ｒに係止されている右流れパイルｒと、（２）  パイル列Ｐの右側に偏在し、両端下がりのパイル係止緯糸Ｚに係止されている固定右パイルｍであり、（２−４）  それら４種類のパイル（ｌ、ｒ、ｍ、ｎ）がそれぞれ製織方向、織幅方向、および、それらの方向に交叉する斜め方向において連続する数が２個以下である点にある。
【０００８】
本発明に係る経パイル織物の第３の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇであり、（２−３）
各パイル列Ｐの何れかの右偏りのパイルｂが、（１）  パイル列Ｐの右側に偏在し、左下がり−右上がりのパイル係止緯糸Ｒに係止されている右流れパイルｒ、（２）  パイル列Ｐの右側に偏在し、左上がり−右下がりのパイル係止緯糸Ｌに係止されている擬左流れパイルｈであり、（２−４）  それら４種類のパイル（ｌ、ｒ、ｇ、ｈ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合っている点にある。
【０００９】
本発明に係る経パイル織物の第４の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇであり、（２−３）
各パイル列Ｐの何れかの右偏りのパイルｂが、（１）  パイル列Ｐの右側に偏在し、左下がり−右上がりのパイル係止緯糸Ｒに係止されている右流れパイルｒ、（２）  パイル列Ｐの右側に偏在し、左上がり−右下がりのパイル係止緯糸Ｌに係止されている擬左流れパイルｈであり、（２−４）  それら４種類のパイル（ｌ、ｒ、ｇ、ｈ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合っており、（２−６）  何れかのパイル列Ｐにおいて擬右流れパイルｇと右流れパイルｒが前後隣合い、又は、擬左流れパイルｈと左流れパイルｌが前後隣合って混在している点にある。
【００１０】
本発明に係る経パイル織物の第５の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇと、（３）  パイル列Ｐの左側に偏在し、両端下がりのパイル係止緯糸Ｚに係止されている固定左パイルｎであり、（２−３）  各パイル列Ｐの何れかの右偏りのパイルｂが、（１）  パイル列Ｐの右側に偏在し、左下がり−右上がりのパイル係止緯糸Ｒに係止されている右流れパイルｒと、（２）  パイル列Ｐの右側に偏在し、左上がり−右下がりのパイル係止緯糸Ｌに係止されている擬左流れパイルｈと、（３）  パイル列Ｐの右側に偏在し、両端下がりのパイル係止緯糸Ｚに係止されている固定右パイルｍであり、（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合って混在、又は、固定右パイルｍと固定左パイルｎが混在している点にある。
【００１１】
本発明に係る経パイル織物の第６の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇと、（３）  パイル列Ｐの左側に偏在し、両端下がりのパイル係止緯糸Ｚに係止されている固定左パイルｎであり、（２−３）  各パイル列Ｐの何れかの右偏りのパイルｂが、（１）  パイル列Ｐの右側に偏在し、左下がり−右上がりのパイル係止緯糸Ｒに係止されている右流れパイルｒと、（２）  パイル列Ｐの右側に偏在し、左上がり−右下がりのパイル係止緯糸Ｌに係止されている擬左流れパイルｈと、（３）  パイル列Ｐの右側に偏在し、両端下がりのパイル係止緯糸Ｚに係止されている固定右パイルｍであり、（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合って混在、又は、固定右パイルｍと固定左パイルｎが混在しており、（２−６）
何れかのパイル列Ｐにおいて擬右流れパイルｇと右流れパイルｒが前後隣合い、又は、擬左流れパイルｈと左流れパイルｌが前後隣合って混在している点にある。
【００１２】
本発明に係る経パイル織物の第７の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇと、（３）  パイル列Ｐの左側に偏在し、両端下がりのパイル係止緯糸Ｚに係止されている固定左パイルｎであり、（２−３）  各パイル列Ｐの何れかの右偏りのパイルｂが、（１）  パイル列Ｐの右側に偏在し、左下がり−右上がりのパイル係止緯糸Ｒに係止されている右流れパイルｒと、（２）  パイル列Ｐの右側に偏在し、左上がり−右下がりのパイル係止緯糸Ｌに係止されている擬左流れパイルｈと、（３）  パイル列Ｐの右側に偏在し、両端下がりのパイル係止緯糸Ｚに係止されている固定右パイルｍであり、（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合って混在、又は、固定右パイルｍと固定左パイルｎが混在しており、（２−７）
何れかのパイル列Ｐにおいて固定左パイルｎと右流れパイルｒが前後隣合い、又は、左流れパイルｌと固定右パイルｍが前後隣合って混在している点にある。
【００１３】
本発明に係る経パイル織物の第８の特徴は、上記第１の特徴に加えて、（２−１）  各パイル列Ｐの何れかのパイル係止緯糸が、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚであり、（２−２）  各パイル列Ｐの何れかの左偏りのパイルａが、（１）  パイル列Ｐの左側に偏在し、左上がり−右下がりのパイル係止緯糸Ｌに係止されている左流れパイルｌと、（２）  パイル列Ｐの左側に偏在し、左下がり−右上がりのパイル係止緯糸Ｒに係止されている擬右流れパイルｇと、（３）  パイル列Ｐの左側に偏在し、両端下がりのパイル係止緯糸Ｚに係止されている固定左パイルｎであり、（２−３）  各パイル列Ｐの何れかの右偏りのパイルｂが、（１）  パイル列Ｐの右側に偏在し、左下がり−右上がりのパイル係止緯糸Ｒに係止されている右流れパイルｒと、（２）  パイル列Ｐの右側に偏在し、左上がり−右下がりのパイル係止緯糸Ｌに係止されている擬左流れパイルｈと、（３）  パイル列Ｐの右側に偏在し、両端下がりのパイル係止緯糸Ｚに係止されている固定右パイルｍであり、（２−４）  それら６種類のパイル（ｌ、ｒ、ｇ、ｈ、ｍ、ｎ）がそれぞれ製織方向、織幅方向、および、それらの方向に交叉する斜め方向において連続する数が２個以下であり、（２−５）  各パイル列Ｐにおいて擬右流れパイルｇと擬左流れパイルｈが前後隣合って混在、又は、固定右パイルｍと固定左パイルｎが混在しており、（２−８）
何れかのパイル列Ｐにおいて擬右流れパイルｇと固定右パイルｍ、又は、擬左流れパイルｈと固定左パイルｎの何れかが前後隣合って混在している点にある。
【発明の効果】
【００１４】
経パイル織物では、パイル糸が経糸に平行に配列されており、パイル列が経糸に仕切られて経糸に平行に並ぶので、経パイル織物を緯糸の長さ方向即ち、横方向（幅方向）に折り曲げるとき、経糸に平行に並んで左右隣合うパイル列Ｑとパイル列Ｑの間が割れてグリンニングが生じ易い。本発明では、パイル層嵩密度を０．０３ｇ／ｃｍ3 以上にして、折り曲げた折り目にベース織地Ｇが現れ難くし、又、各パイル列の経糸の長さ方向において左右隣合うパイルとパイルを互いに逆向きとなる左端と右端に偏在させると共に、隣合う経糸２本につき１条の割合でパイル列を形成し、その隣合う経糸間にパイルが介在するパイル列Ｐとパイル列が介在しない無パイル列Ｑを左右に交互させ、左偏りパイルａと右偏りパイルｂを左右の無パイル列Ｑに傾倒し易くし、又、各パイル列の経糸の長さ方向においては、パイル係止緯糸１〜２本と、パイルを係止していないパイル無係止緯糸（Ｋ）１〜２本を交互させ、左偏りパイルａと右偏りパイルｂを前後のパイル無係止緯糸Ｋによって構成される無パイル部（Ｋ）に傾倒し易くし、パイルが市松模様状に並んで前後左右に傾倒し、その傾倒するパイルによって折り曲げた折り目に現れるベース織地Ｇを隠蔽するようにしている。
【００１５】
本発明では、パイル列Ｐの左右の経糸Ｅ・Ｆに交絡するパイル係止緯糸の上下の位置関係に応じて左偏りパイルａと右偏りパイルｂの左右へのズレ移動を不規則に促し、左偏りパイルａと右偏りパイルｂの配置や左右への傾き方をランダムにしている。即ち、本発明では、図１に図示するように、パイル係止緯糸は、左右の経糸Ｅ・Ｆとの交絡関係からして、左右何れの経糸の上を越え、又、その何れの経糸の下を潜るかによって、（１）  パイル列Ｐの左側の経糸Ｅの上を越え、パイル列Ｐの右側の経糸Ｆの下を潜る左上がり−右下がりのパイル係止緯糸Ｌと、（２）  パイル列Ｐの左側の経糸Ｅの下を潜り、パイル列Ｐの右側の経糸Ｆの上を越える左下がり−右上がりのパイル係止緯糸Ｒと、（３）  パイル列Ｐの左側の経糸Ｅとパイル列Ｐの右側の経糸Ｆとの双方の経糸Ｅ・Ｆの下を潜る両端下がりのパイル係止緯糸Ｚとの３種類の中の何れかの形態をとることになる。
【００１６】
そのようにパイル係止緯糸の形態を３種類にすると、図１に図示するように、左偏りパイルａと右偏りパイルｂは、その何れの緯糸に係止されるかによって、次の６種類の形態をとることになる。
（１）  パイル列Ｐの左側に偏在し、左上がり−右下がりのパイル係止緯糸Ｌに係止されている左流れパイルｌ。
（２）  パイル列Ｐの左側に偏在し、左下がり−右上がりのパイル係止緯糸Ｒに係止されている擬右流れパイルｇ。
（３）  パイル列Ｐの左側に偏在し、両端下がりのパイル係止緯糸Ｚに係止されている固定左パイルｎ。
（４）  パイル列Ｐの右側に偏在し、左下がり−右上がりのパイル係止緯糸Ｒに係止されている右流れパイルｒ。
（５）  パイル列Ｐの右側に偏在し、左上がり−右下がりのパイル係止緯糸Ｌに係止されている擬左流れパイルｈ。
（６）  パイル列Ｐの右側に偏在し、両端下がりのパイル係止緯糸Ｚに係止されている固定右パイルｍ。
【００１７】
図１に図示するように、これら６種類のパイルの左右への偏在の仕方には、次の特徴が認められる。
（１）  左流れパイルｌは、その左側に触れて隣合う左側の経糸Ｅの上を越える緯糸Ｌに沿って無パイル列Ｑへとズレ込み易く、左側へと傾き状態にあり、左流れパイルｌが、製織過程において、その構成する左側配列パイル糸Ａが対を成す右側配列パイル糸Ｂに押し返されて左側への移動が妨げられることはなく、左側の無パイル列Ｑへと随時ズレ込み可能な状態にある。
（２）  擬右流れパイルｇは、右流れパイルｒと同様に、その右側に触れて隣合う右側の経糸Ｆの上を越える緯糸Ｒに沿って無パイル列Ｑへとズレ込み易く、左側へと傾き状態にあるが、右流れパイルｒとは異なり、それは左偏りパイルａであるが故に、製織過程において、その構成する左側配列パイル糸Ａが右側配列パイル糸Ｂに妨げられ、左流れパイルｌと同様には右側に移動して無パイル列Ｑへとズレ込むことはない。つまり、擬右流れパイルｇは、言わば、右側に移動可能な状態にあると言うだけである。
（３）  固定左パイルｎは、製織過程において、その構成する左側配列パイル糸Ａが右側配列パイル糸Ｂによって左側に押し返されても、その左側に介在する経糸Ｅによって右側にも押し返されるので、左右に移動することはなく、左偏りパイルａの状態に常に保たれる。
（４）  右流れパイルｒは、その右側に触れて隣合う右側の経糸Ｆの上を越える緯糸Ｒに沿って無パイル列へとズレ込み易く、右側へと傾き状態にあり、製織過程において、その構成する右側配列パイル糸Ｂが、その対を成す左側配列パイル糸Ａに押し返されて右側への移動が妨げられることはなく右側の無パイル列へと随時ズレ込み可能な状態にある。
（５）  擬左流れパイルｈは、左流れパイルｌと同様に、その左側に触れて隣合う左側の経糸Ｅの上を越える緯糸Ｌに沿って無パイル列Ｑへとズレ込み易く、左側へと傾き状態にあるが、左流れパイルｌとは異なり、それが右偏りパイルｂであるが故に、製織過程において、その構成する右側配列パイル糸Ｂが左側配列パイル糸Ａに妨げられ、左流れパイルｌと同様には左側に移動して無パイル列Ｑへとズレ込むようなことはない。つまり、擬左流れパイルｈは、言わば、左側に移動可能な状態にあると言うだけである。
（６）  固定右パイルｍは、製織過程において、その構成する右側配列パイル糸Ｂが左側配列パイル糸Ａによって右側に押し返されても、その右側に介在する経糸Ｆによって左側にも押し返されるので、左右に移動することはなく、常に右偏りパイルｂの状態に保たれる。
【００１８】
各パイル列における左偏りパイルａと右偏りパイルｂの位置関係が、製織過程において決定される理由については、次のように説明することが出来る。
即ち、経パイル織物は、図２に図示するように、上下二重に織成される２枚のベース織地Ｇ・Ｇの緯糸間をパイル糸で連結して織成し、その連結するパイル糸を上下２枚のベース織地Ｇ・Ｇの間で切断（センターカット）して得られるものであるが、その場合、各パイル列（Ｐ1 ，Ｐ2 ，Ｐ3 ，Ｐ4 ………）を構成するパイル糸Ａ・Ｂを２本１組にして隣合う経糸間に配置し、その２本のパイル糸Ａ・Ｂを順次織り込まれて前後する２本の緯糸１・２（５・６）、（９・１０）………に接結する製織過程において、それら２本のパイル糸Ａ・Ｂが上下２枚のベース織地Ｇ・Ｇの間において交叉するので、それ２本のパイル糸Ａ・Ｂの織幅方向（横方向）における位置関係が左右入れ代わることはない。そして、それら２本のパイル糸Ａ・Ｂの形成する２個のパイルａ・ｂの織幅方向における位置関係は、図３に図示するように、センターカットによって２本のパイル糸Ａ・Ｂの交叉状態が解除された後においても、製織過程における２本のパイル糸Ａ・Ｂと同じ位置関係に保たれ、それら２個１組となるパイルａとパイルｂの配置が左右入れ代わることがない。
【００１９】
そのように、左右に偏在して対を成す２個の左偏りパイルａと右偏りパイルｂの位置関係が製織後も保たれることは、椅子張地やカーペットとして使用されるパイル層嵩密度が０．０３ｇ／ｃｍ3 以上の経パイル織物のパイル面の毛並には方向性があって、パイルは特定方向に傾倒し易く、斜視する方向によってパイル面の色彩の濃淡が変化することによって充分理解し得るところであり、特に、羊毛繊維等の短繊維紡績糸に成るパイルにセンターカット時に発生した所謂遊び毛（粉末状繊維断片）がパイル層内部に絡み付いていて完全に除去することは殆ど不可能であること、或いは、経パイル織物（特にカーペット）の使用中に一部のパイルの傾倒方向が変化してパイル面に生じた「雲」、或いは、「池」と称されるパイル面の陰影（濃淡）変化を矯正することが殆ど不可能であること等々の事実からして容易に理解されよう。
【００２０】
そして更に、パイル列Ｐにおいて前後隣合う左偏りパイルａと右偏りパイルｂは、それが上記６種類のパイルの中の何れの形態のパイルに該当するかによって、次のように特徴のある左右への偏在の仕方をすることになる。
即ち、左流れパイルｌは、前記の通り、左側の無パイル列Ｑへと随時ズレ込み可能な状態にある。又、右流れパイルｒも、前記の通り、右側の無パイル列Ｑへと随時ズレ込み可能な状態にある。そして、左流れパイルｌと右流れパイルｒは、元々パイル列Ｐの左右に偏在している。このため、パイル列Ｐは、製織方向に一直線になっていても、パイルが左右に分かれて２列状態になる。その２列に分かれる左流れパイルｌと右流れパイルｒは、パイル列Ｐと無パイル列Ｑのように経糸に仕切られて２列に分かれるのではなく、同一パイル列Ｐを形成する２本のパイル糸Ａ・Ｂが製織過程で左右に押し合い、パイル糸Ａ・Ｂの形成する左偏りパイルａと右偏りパイルｂが左右にズレて形成されるものであるから、そのズレ方は不規則になり、左流れパイルｌと右流れパイルｒは、それぞれ正確に一直線上に並ばず、それらの配置や左右への傾き方はランダムになる。尚、パイル列Ｐにおいて前後隣合う左流れパイルｌと右流れパイルｒを、以下、左右流れ（ｌ−ｒ）と称する。
【００２１】
パイル列Ｐにおいて擬右流れパイルｇと右流れパイルｒが前後隣合って混在している経パイル織物では、前記の通り、右流れパイルｒは、右側の無パイル列Ｑへと随時ズレ込み可能な状態にある。一方、擬右流れパイルｇは、前記の通り、製織過程において、その構成する左側配列パイル糸Ａが右側配列パイル糸Ｂに妨げられ、右側に移動して無パイル列Ｑへとズレ込むことはないが、それが右側に移動可能な状態にあり、製織過程において、その構成する左側配列パイル糸Ａが反作用として右流れパイルｒを構成する右側配列パイル糸Ｂを右側に押し返す。このため、図１と図４に図示するように、右流れパイルｒは、擬右流れパイルｇに付勢され、その係止する緯糸Ｒに沿って左側の経糸Ｆの上を越えて無パイル列Ｑへと大きくズレ込む。その結果、左偏りパイルａとしてパイル列Ｐに止まる擬右流れパイルｇと、経糸Ｆの上を越えて無パイル列Ｑへとズレ込んだ右流れパイルｒ（右偏りパイルｂ）との配置や左右への傾き方の差異が顕著になる。以下、このようにパイル列Ｐにおいて前後隣合う擬右流れパイルｇと右流れパイルｒを、右押流れ（ｇ−ｒ）と称する。尚、図４は、経パイル織物の裏面図であり、図４の右流れパイルｒと擬右流れパイルｇの左右の位置は、図３の右流れパイルｒと擬右流れパイルｇの左右の位置とは左右入れ代わる。
【００２２】
パイル列Ｐにおいて擬左流れパイルｈと左流れパイルｌが前後隣合って混在している経パイル織物では、前記の通り、左流れパイルｌは、左側の無パイル列Ｑへと随時ズレ込み可能な状態にある。一方、擬左流れパイルｈは、前記の通り、製織過程において、その構成する右側配列パイル糸Ｂが左側配列パイル糸Ａに妨げられ、左側に移動して無パイル列Ｑへとズレ込むことはないが、それが左側に移動可能な状態にあり、製織過程において、その構成する右側配列パイル糸Ｂが反作用として左流れパイルｌを構成する左側配列パイル糸Ａを左側に押し返す。このため、図１と図４に図示するように、左流れパイルｌは、擬左流れパイルｈに付勢され、その係止する緯糸Ｌに沿って右側の経糸Ｅの上を越えて無パイル列Ｑへと大きくズレ込む。その結果、右偏りパイルｂとしてパイル列Ｐに止まる擬左流れパイルｈと、経糸Ｅの上を越えて無パイル列Ｑへとズレ込んだ左流れパイルｌ（左偏りパイルａ）との配置や左右への傾き方の差異が顕著になる。以下、このようにパイル列Ｐにおいて前後隣合う擬左流れパイルｈと左流れパイルｌを、左押流れ（ｈ−ｌ）と称する。尚、図４は、経パイル織物の裏面図であり、図４の擬左流れパイルｈと左流れパイルｌの左右の位置は、図３に図示する擬左流れパイルｈと左流れパイルｌの左右の位置とは左右入れ代わる。
【００２３】
パイル列Ｐにおいて固定左パイルｎと右流れパイルｒが前後隣合って混在している経パイル織物では、前記の通り、固定左パイルｎは、製織過程において、その構成する左側配列パイル糸Ａが右側配列パイル糸Ｂによって左側に押し返されても、左側に移動することはなく、常に左偏りパイルａの状態に保たれる。一方、右流れパイルｒは、前記の通り、製織過程において、固定左パイルｎを構成する左側配列パイル糸Ａによって右側への移動が妨げられることはなく、右側の無パイル列Ｑへとズレ込む。従って、配置や左右への傾き方が規則的な固定左パイルｎと、配置や左右への傾き方がランダムな右流れパイルｒが混在するパイル列Ｐでは、その各パイルが前後左右の何れの方向に傾倒し易いかは不定になる。以下、このようにパイル列Ｐにおいて前後隣合う固定左パイルｎと右流れパイルｒを、右片流れ（ｎ−ｒ）と称する。
【００２４】
パイル列Ｐにおいて左流れパイルｌと固定右パイルｍが前後隣合って混在している経パイル織物では、前記の通り、固定右パイルｍは、製織過程において、その構成する右側配列パイル糸Ｂが左側配列パイル糸Ａによって右側に押し返されても、右側に移動することはなく、常に右偏りパイルｂの状態に保たれる。一方、左流れパイルｌは、前記の通り、製織過程において、固定右パイルｍを構成する右側配列パイル糸Ｂによって左側への移動が妨げられることはなく、左側の無パイル列Ｑへとズレ込む。従って、配置や左右への傾き方が規則的な固定右パイルｍと、配置や左右への傾き方がランダムな左流れパイルｌが混在するパイル列Ｐでは、その各パイルが前後左右の何れの方向に傾倒し易いかは不定になる。以下、このようにパイル列Ｐにおいて前後隣合う左流れパイルｌと固定右パイルｍを、左片流れ（ｌ−ｍ）と称する。
【００２５】
パイル列Ｐにおいて擬右流れパイルｇと擬左流れパイルｈが前後隣合って混在している経パイル織物では、前記の通り、擬右流れパイルｇは、製織過程において、その構成する左側配列パイル糸Ａが右側配列パイル糸Ｂに妨げられ、右側に移動して無パイル列Ｑへとズレ込むことはないが、それが右側に移動可能な状態にあり、製織過程において、その構成する左側配列パイル糸Ａが反作用として擬左流れパイルｈを構成する右側配列パイル糸Ｂを右側に押し返す。一方、擬左流れパイルｈは、前記の通り、製織過程において、その構成する右側配列パイル糸Ｂが左側配列パイル糸Ａに妨げられ、左側に移動して無パイル列Ｑへとズレ込むことはないが、それが左側に移動可能な状態にあり、製織過程において、その構成する右側配列パイル糸Ｂが反作用として擬右流れパイルｇを構成する左側配列パイル糸Ａを左側に押し返す。このように、擬右流れパイルｇと擬左流れパイルｈは、形の上では移動して無パイル列Ｑへとズレ込み易い状態にあるものの、それらを構成する左側配列パイル糸Ａと右側配列パイル糸Ｂが、製織過程において、それぞれ移動可能な方向とは逆方向に押し返すように反発し合うので、実際には左右に移動することも無パイル列Ｑへとズレ込むことはなく、それぞれ固定右パイルｍと固定左パイルｎと同様に左右に移動することのない右偏りパイルｂおよび左偏りパイルａの状態に常に保たれる。従って、左右の無パイル列Ｑへと随時ズレ込み可能な状態にある左流れパイルｌと右流れパイルｒが介在するパイル列Ｐに擬右流れパイルｇと擬左流れパイルｈが前後隣合って混在する場合には、その前後隣合う擬右流れパイルｇと擬左流れパイルｈが、その随時移動可能な左流れパイルｌと右流れパイルｒに対して固定右パイルｍと固定左パイルｎと同様に作用する。尚、パイル列Ｐにおいて前後隣合う擬右流れパイルｇと擬左流れパイルｈを、以下、擬固定（ｇ−ｈ）と称する。
【００２６】
パイル列において擬左流れパイルｈと固定左パイルｎが前後隣合って混在している経パイル織物では、前記の通り、固定左パイルｎは、製織過程において、その構成する左側配列パイル糸Ａが右側配列パイル糸Ｂによって左側に押し返されても、左側に移動することはなく、常に左偏りパイルａの状態に保たれる。一方、擬左流れパイルｈは、前記の通り、その左側に触れて隣合う左側の経糸Ｅの上を越える緯糸Ｌに沿って無パイル列Ｑへとズレ込み可能な状態にあるが、製織過程において、その構成する右側配列パイル糸Ｂが固定左パイルｎを構成する左側配列パイル糸Ａに妨げられて左側に移動することはなく、固定右パイルｍと同様に左右に移動することのない右偏りパイルｂの状態に常に保たれる。従って、左流れパイルｌと右流れパイルｒと共に固定左パイルｎと擬左流れパイルｈが混在するパイル列Ｐによって構成されるパイル面では、左流れパイルｌと右流れパイルｒと共に固定左パイルｎと固定右パイルｍが混在するパイル列によって構成されるパイル面と同様に、前後左右のみならず斜め方向に折り目を付けても、その折り目に沿ってパイルが左右に綺麗に分かれ難く、その折り目にベース織地が露出し難くなる。以下、パイル列において前後隣合う擬左流れパイルｈと固定左パイルｎを、左流止め（ｈ−ｎ）と称する。
【００２７】
パイル列Ｐにおいて擬右流れパイルｇと固定右パイルｍが前後隣合って混在している経パイル織物では、前記の通り、固定右パイルｍは、製織過程において、その構成する右側配列パイル糸Ｂが左側配列パイル糸Ａによって右側に押し返されても、右側に移動することはなく、右偏りパイルｂの状態に常に保たれる。一方、擬右流れパイルｇは、前記の通り、その右側に触れて隣合う右側の経糸Ｆの上を越える緯糸Ｒに沿って無パイル列Ｑへとズレ込み可能な状態にあるが、製織過程において、その構成する左側配列パイル糸Ａが固定右パイルｍを構成する右側配列パイル糸Ｂに妨げられて右側に移動することはなく、固定左パイルｎと同様に左右に移動することのない左偏りパイルａの状態に常に保たれる。従って、左流れパイルｌと右流れパイルｒと共に固定右パイルｍと擬右流れパイルｇが混在するパイル列Ｐによって構成されるパイル面では、左流れパイルｌと右流れパイルｒと共に固定左パイルｎと固定右パイルｍが混在するパイル列Ｐによって構成されるパイル面や、左流れパイルｌと右流れパイルｒと共に固定左パイルｎと擬左流れパイルｈが混在するパイル列Ｐによって構成されるパイル面と同様に、前後左右のみならず斜め方向に折り目を付けても、その折り目に沿ってパイルが左右に綺麗に分かれ難く、その折り目にベース織地が露出し難くなる。以下、パイル列Ｐにおいて前後隣合う擬右流れパイルｇと固定右パイルｍを、右流止め（ｇ−ｍ）と称する。
【００２８】
固定右パイルｍと固定左パイルｎが混在している経パイル織物では、前記の通り、固定右パイルｍは、製織過程において、その構成する右側配列パイル糸Ｂが左側配列パイル糸Ａによって右側に押し返されても、右側に移動することはなく、右偏りパイルｂの状態に常に保たれる。同様に、固定左パイルｎも、製織過程において、その構成する左側配列パイル糸Ａが右側配列パイル糸Ｂによって左側に押し返されても、左側に移動することはなく、常に左偏りパイルａの状態に保たれる。従って、固定右パイルｍと固定左パイルｎが混在しているだけでは、グリンニング防止効果は生じない。  固定右パイルｍと固定左パイルｎが混在している経パイル織物は、従来一般の経パイル織物に過ぎないからである。しかし、固定右パイルｍと固定左パイルｎは、前記の通り、左流れパイルｌ、擬右流れパイルｇ、右流れパイルｒ、擬左流れパイルｈ、特に、左流れパイルｌと右流れパイルｒと相乗してグリンニング防止効果を齎す。以下、パイル列Ｐにおいて前後隣合う固定右パイルｍと固定左パイルｎを、左右固定（ｍ−ｎ）と称する。
【００２９】
左右流れ（ｌ−ｒ）と右押流れ（ｇ−ｒ）と右片流れ（ｎ−ｒ）では、何れも右流れパイルｒが左側のパイル列Ｐに移動し、左右流れ（ｌ−ｒ）と左押流れ（ｈ−ｌ）と左片流れ（ｌ−ｍ）では、何れも左流れパイルｌが右側のパイル列Ｐに移動する。しかし、左右流れ（ｌ−ｒ）と右押流れ（ｇ−ｒ）と右片流れ（ｎ−ｒ）とでは、その前後隣合う左偏りパイルａと右偏りパイルｂをそれぞれ係止するパイル係止緯糸の経糸Ｅ・Ｆとの交絡構造が異なり、又、左右流れ（ｌ−ｒ）と左押流れ（ｈ−ｌ）と左片流れ（ｌ−ｍ）とでも、その前後隣合う左偏りパイルａと右偏りパイルｂをそれぞれ係止するパイル係止緯糸の経糸Ｅ・Ｆとの交絡構造が異なる。そして、右押流れ（ｇ−ｒ）と左押流れ（ｈ−ｌ）、および、右流止め（ｇ−ｍ）と左流止め（ｈ−ｎ）では、左偏りパイルａと右偏りパイルｂの配置が前後反転した位置関係にあり、それらの左偏りパイルａと右偏りパイルｂの左右への傾き方に差異が生じる。
【００３０】
特に、右押流れ（ｇ−ｒ）では右流れパイルｒが擬右流れパイルｇに付勢されて左側の無パイル列Ｑへと大きくズレ込み、左押流れ（ｈ−ｌ）では左流れパイルｌが擬左流れパイルｈに付勢されて右側の無パイル列Ｑへと大きくズレ込み、左右流れ（ｌ−ｒ）や右片流れ（ｎ−ｒ）や左片流れ（ｌ−ｍ）とは左偏りパイルａと右偏りパイルｂの配置や左右への傾き方の差異が顕著になる。左右流れ（ｌ−ｒ）では、左流れパイルｌと右流れパイルｒが左右に移動して離れるので、右押流れ（ｇ−ｒ）や右片流れ（ｎ−ｒ）や左押流れ（ｈ−ｌ）や左片流れ（ｌ−ｍ）とは左偏りパイルａと右偏りパイルｂの配置や左右への傾き方に顕著な差異が生じる。従って、左流れパイルｌと右流れパイルｒが左右に移動するとしても、グリンニング防止の上では、左右流れ（ｌ−ｒ）と右押流れ（ｇ−ｒ）と右片流れ（ｎ−ｒ）と左右流れ（ｌ−ｒ）と左押流れ（ｈ−ｌ）と左片流れ（ｌ−ｍ）を何れのパイル列にも混在させることが望ましい。
【００３１】
右流止め（ｇ−ｍ）では、擬右流れパイルｇは左右移動しない左偏りパイルａの状態にあり、固定右パイルｍも左右移動しない右偏りパイルｂの状態にある。従って、左流れパイルｌや右流れパイルｒに対し、右流止め（ｇ−ｍ）は、固定右パイルｍ、固定左パイルｎ、或いは、左右固定（ｍ−ｎ）と同様に作用する。又、左流止め（ｈ−ｎ）では、擬左流れパイルｈは左右移動しない右偏りパイルｂの状態にあり、固定左パイルｎも左右移動しない左偏りパイルａの状態にある。従って、左流れパイルｌや右流れパイルｒに対し、左流止め（ｈ−ｎ）も、固定右パイルｍ、固定左パイルｎ、左右固定（ｍ−ｎ）、右流止め（ｇ−ｍ）と同様に作用する。しかし、右流止め（ｇ−ｍ）と左流止め（ｈ−ｎ）と左右固定（ｍ−ｎ）と擬固定（ｇ−ｈ）では、その前後隣合う左偏りパイルａと右偏りパイルｂをそれぞれ係止するパイル係止緯糸の経糸との交絡構造が異なり、右流止め（ｇ−ｍ）と左流止め（ｈ−ｎ）とでは、左偏りパイルａと右偏りパイルｂの配置が前後反転した位置関係にあり、それらの左偏りパイルａと右偏りパイルｂの左右への傾き方に差異が生じる。従って、左流れパイルｌや右流れパイルｒに対して作用するパイルは、右流止め（ｇ−ｍ）と左流止め（ｈ−ｎ）と左右固定（ｍ−ｎ）と擬固定（ｇ−ｈ）の何れか１種類でもよいが、グリンニング防止の上では右流止め（ｇ−ｍ）と左流止め（ｈ−ｎ）と左右固定（ｍ−ｎ）と擬固定（ｇ−ｈ）を何れのパイル列にも混在させることが望ましい。
【００３２】
本発明の経パイル織物（請求項１）では、左流れパイルｌと右流れパイルｒが前後隣合う左右流れ（ｌ−ｒ）では、前記の通り、左流れパイルｌと右流れパイルｒがそれぞれ正確に一直線上に並ばず、それらの配置や左右への傾き方はランダムになる。一方、固定右パイルｍと固定左パイルｎの根元は、左右の経糸Ｅ・Ｆに阻止されるので、無パイル列Ｑへとズレ込むことはなく、それぞれ左右に分かれて一直線上に並んだ２列状態になり、それらの配置や左右への傾き方は規則的でランダムにはならない。そして、固定左パイルｎと右流れパイルｒが前後隣合う右片流れ（ｎ−ｒ）では、前記の通り、その各パイルが前後左右の何れの方向に傾倒し易いかは不定になる。同様に、左流れパイルｌと固定右パイルｍが前後隣合う左片流れ（ｌ−ｍ）では、前記の通り、その各パイルが前後左右の何れの方向に傾倒し易いかは不定になる。それ故に、その配置や左右への傾き方がランダムな左流れパイルｌと右流れパイルｒと、配置や左右への傾き方が規則的な固定右パイルｍと固定左パイルｎが混在するパイル列Ｐによって構成されるパイル面では、前後左右のみならず斜め方向に折り目を付けても、その折り目に沿ってパイルが左右に綺麗に分かれ難く、その折り目にベース織地が露出し難くなり、グリンニングが回避される。
そして、各パイル列Ｐが４種類のパイル（ｌ、ｒ、ｍ、ｎ）によって構成され、それら４種類のパイル（ｌ、ｒ、ｍ、ｎ）がそれぞれ製織方向、織幅方向、および、それらの方向に交叉する斜め方向において連続する数が２個以下になっており、同じ種類のパイルが連続して筋状に現れる所謂”紋グセ”も回避される。
【００３３】
本発明の経パイル織物（請求項２）では、パイル列Ｐにおいて前後隣合う擬右流れパイルｇと擬左流れパイルｈは、形の上では移動して無パイル列Ｑへとズレ込み易い状態にあるものの、それらを構成する左側配列パイル糸Ａと右側配列パイル糸Ｂが、製織過程において、それぞれ移動可能な方向とは逆方向に押し返すように反発し合い、実際には左右に移動することも無パイル列Ｑへとズレ込むことはなく、それぞれ固定右パイルｍと固定左パイルｎと同様に左右に移動することのない擬固定（ｇ−ｈ）を構成している。従って、固定右パイルｍと固定左パイルｎの介在しないパイル面でも、左流れパイルｌと右流れパイルｒと共に擬右流れパイルｇと擬左流れパイルｈが混在するパイル列Ｐによって構成されるパイル面では、前後左右のみならず斜め方向に折り目を付けても、その折り目に沿ってパイルが左右に綺麗に分かれ難く、その折り目にベース織地が露出し難くなり、グリンニングが回避される。そして、各パイル列Ｐが４種類のパイル（ｌ、ｒ、ｇ、ｈ）によって構成され、それら４種類のパイル（ｌ、ｒ、ｍ、ｎ）がそれぞれ製織方向、織幅方向、および、それらの方向に交叉する斜め方向において連続する数が２個以下になっており、同じ種類のパイルが連続して筋状に現れる所謂”紋グセ”も回避される。
【００３４】
本発明の経パイル織物（請求項３）では、前記の通り、左流れパイルｌと右流れパイルｒが、それらの前後隣合う左右流れ（ｌ−ｒ）において正確に一直線上に並ばず、それらの配置や左右への傾き方がランダムになる。そして、パイル列Ｐにおいて前後隣合う擬右流れパイルｇと擬左流れパイルｈは、前記の通り、固定右パイルｍと固定左パイルｎと同様に、左右に移動することのない擬固定（ｇ−ｈ）を構成している。そして、パイル列Ｐにおいて擬右流れパイルｇと右流れパイルｒが前後隣合う右押流れ（ｇ−ｒ）では、右流れパイルｒが擬右流れパイルｇに付勢されて無パイル列Ｑへと大きくズレ込み、左偏りパイルａとしてパイル列Ｐに止まる擬右流れパイルｇとの差異が顕著になる。同様に、擬左流れパイルｈと左流れパイルｌが前後隣合う左押流れ（ｈ−ｌ）では、前記の通り、左流れパイルｌが擬左流れパイルｈに付勢され無パイル列Ｑへと大きくズレ込み、右偏りパイルｂとしてパイル列Ｐに止まる擬左流れパイルｈとの差異が顕著になる。従って、固定右パイルｍと固定左パイルｎの介在しないパイル面でも、擬固定（ｇ−ｈ）が左右固定（ｍ−ｎ）と同様の効果を齎し、右押流れ（ｇ−ｒ）と左押流れ（ｈ−ｌ）が混在してグリンニングが一層効果的に回避される。そして、各パイル列Ｐが４種類のパイル（ｌ、ｒ、ｇ、ｈ）によって構成され、それら４種類のパイル（ｌ、ｒ、ｍ、ｎ）がそれぞれ製織方向、織幅方向、および、それらの方向に交叉する斜め方向において連続する数が２個以下なので、同じ種類のパイルが連続して筋状に現れる所謂”紋グセ”も回避される。
【００３５】
本発明の経パイル織物（請求項４）では、上記の効果に加え、左偏りパイルａと右偏りパイルｂの不動の位置が固定右パイルｍと固定左パイルｎと擬固定（ｇ−ｈ）の何れかによって確保され、パイルの種類を６種類（ｌ、ｒ、ｇ、ｈ、ｍ、ｎ）に増やし、それら６種類のパイルを、それぞれ製織方向、織幅方向、および、それらの方向に交叉する斜め方向において連続する数が２個以下になるように配置し易くなり、又、前後隣合う左偏りパイルａと右偏りパイルｂを左右流れ（ｌ−ｒ）と右押流れ（ｇ−ｒ）、左押流れ（ｈ−ｌ）、右片流れ（ｎ−ｒ）、左片流れ（ｌ−ｍ）、擬固定（ｇ−ｈ）、左流止め（ｈ−ｎ）、右流止め（ｇ−ｍ）および左右固定（ｍ−ｎ）に組み合わせることが出来るので、”紋グセ”を回避しつつグリンニングを回避するための経パイル織物の設計が容易になる。
【００３６】
本発明の経パイル織物（請求項５）では、上記の効果に加え、右流れパイルｒの移動を促す（ｒｇ）と、左流れパイルｌの移動を促す左押流れ（ｈ−ｌ）の何れか全てのパイル列Ｐに配置したので、グリンニングが一層効果的に回避される。
【００３７】
本発明の経パイル織物（請求項６）では、上記の効果に加え、左右移動する左流れパイルｌと右流れパイルｒの形態を、左右流れ（ｌ−ｒ）と右押流れ（ｇ−ｒ）と左押流れ（ｈ−ｌ）に右片流れ（ｎ−ｒ）と左片流れ（ｌ−ｍ）を加えて多様にしたので、”紋グセ”を回避しつつグリンニングを回避するための経パイル織物の設計が更に容易になる。
【００３８】
本発明の経パイル織物（請求項７）では、上記の効果に加え、左偏りパイルａと右偏りパイルｂの不動の位置に止める形態を、左右固定（ｍ−ｎ）と擬固定（ｇ−ｈ）に左流止め（ｈ−ｎ）と右流止め（ｇ−ｍ）を加えて多様にしたので、”紋グセ”を回避しつつグリンニングを回避するための経パイル織物の設計が更に容易になる。
【発明を実施するための最良の形態】
【００３９】
パイル列Ｐでは、１〜２本のパイル係止緯糸と１〜２本のパイル無係止緯糸Ｋが製織方向に交互して並んでおり、それらのパイル係止緯糸に、左流れパイルｌと擬右流れパイルｇと固定左パイルｎの３種類の左偏りパイルａと、右流れパイルｒと擬左流れパイルｈと固定右パイルｍの３種類の右偏りパイルｂを交互に係止する場合、その１レピートとなる緯糸の数は、最少１２本、最多１８本になる。又、１〜２本のパイル無係止緯糸Ｋ毎に１〜２本の割合で織り込まれるパイル係止緯糸に交互に係止されて、左右流れ（ｌ−ｒ）、右押流れ（ｇ−ｒ）、左押流れ（ｈ−ｌ）、右片流れ（ｎ−ｒ）、左片流れ（ｌ−ｍ）、擬固定（ｇ−ｈ）、左流止め（ｈ−ｎ）、右流止め（ｇ−ｍ）、左右固定（ｍ−ｎ）の９種類の全てのパイルを、左流れパイルｌと擬右流れパイルｇと固定左パイルｎの３種類の左偏りパイルａと右流れパイルｒと擬左流れパイルｈと固定右パイルｍの３種類の右偏りパイルｂが前後隣合って構成する場合には、その１レピートとなる緯糸の数は、最少１８本、最多２７本になる。
【００４０】
しかし、グリンニング防止のために、各パイル列において前後隣合って続き、各パイル列の左右への偏在の仕方或いは左右への移動の仕方や傾き方の形態の異なるパイルの種類の数を増やし、それら数種類の全てのパイルが繰り返し形成される１レピートとなる緯糸の数を増やことは、必ずしも必要とされない。何故なら、グリンニングは、遠く離れたパイルとパイルの間で生じるものではなく、極接近したパイルの左右への偏在の仕方或いは左右への移動の仕方や傾き方の形態が同じのときに発生するからである。この点に関し、各パイル列において前後隣合って続き、偏在の仕方等の形態を異にするパイルの１レピートとなる数は４〜６で十分であり、グリンニング防止のために必要とされる偏在の仕方等の形態を異にするパイルを４種類とし、製織方向、織幅方向、および、それらの方向に交叉する斜め方向に、その４種類の各パイルが３個以上隣合って連続しなければ、グリンニングは発生しない、との実験結果を得ている。
【００４１】
従って、偏在の仕方等の形態を異にする数種類のパイルを繰り返し構成する緯糸の１レピートとなる数は、最少８本、最多２７本であれば十分であり、織幅方向において隣合う４列のパイル列の間で、各緯糸（１，２，３，４，５，６，７，８，９，１０，１１，１２）に係止されるパイルの形態（ｌ、ｒ、ｇ、ｈ、ｍ、ｎ）を変えることによってグリンニングを回避することが出来る。図５〜図８は、８本の緯糸（１，２，３，４，５，６，７，８）を１レピートとする経パイル織物の緯糸とパイルの形態を図示し、図９は、１２本の緯糸（１，２，３，４，５，６，７，８，９，１０，１１，１２）を１レピートとする経パイル織物の緯糸とパイルの形態を図示する。
【００４２】
そのパイルの形態は、そのパイルがパイル列の左右何れに偏っているか（ａ，ｂ）、そのパイルを係止する緯糸が左上がり−右下がりのパイル係止緯糸Ｌと右上がり−左下がりのパイル係止緯糸Ｒと両端下がりのパイル係止緯糸Ｚの何れであるか、又、前後する左偏りパイルａと右偏りパイルｂが左右流れ（ｌ−ｒ）と右押流れ（ｇ−ｒ）と左押流れ（ｈ−ｌ）と右片流れ（ｎ−ｒ）と左片流れ（ｌ−ｍ）と擬固定（ｇ−ｈ）と左流止め（ｈ−ｎ）と右流止め（ｇ−ｍ）と左右固定（ｍ−ｎ）の何れであるか、と言う点で異なるものであるが、前記の通り、パイル層嵩密度が０．０３ｇ／ｃｍ3 以上の経パイル織物のパイル面の毛並には方向性があって、パイルは特定方向に傾倒し易く、斜視する方向によってパイル面の色彩の濃淡が変化することによって充分理解し得、特に、羊毛繊維等の短繊維紡績糸に成るパイルにセンターカット時に発生した所謂遊び毛（粉末状繊維断片）がパイル層内部に絡み付いていて完全に除去することは殆ど不可能であること、或いは、経パイル織物（特にカーペット）の使用中に一部のパイルの傾倒方向が変化してパイル面に生じた「雲」、或いは、「池」と称されるパイル面の陰影（濃淡）変化を矯正することが殆ど不可能であること等々の事実からして容易に理解されるように、そのパイルの形態の差異によってグリンニングが回避される。
【００４３】
各パイル列Ｐにおいてパイル係止緯糸（Ｌ，Ｒ，Ｚ）とパイル無係止緯糸（Ｋ）の製織方向に交互する本数は、パイル糸と緯糸の繊度（太さ）やパイル層嵩密度（経糸密度と緯糸）との関係で、図５に図示するように１本、または、図６〜図９に図示するように２本に設定される。同様に、パイル無係止緯糸Ｋによって構成される無パイル部（Ｋ）の織幅方向に連続する数、即ち、パイル無係止緯糸Ｋが続くパイル列Ｐの列数も、パイル糸と経糸の繊度（太さ）やパイル層嵩密度（経糸密度と緯糸）との関係で、図５〜図７に図示するように１列、又は、図９に図示するように２列に設定される。左右流れ（ｌ−ｒ）と右押流れ（ｇ−ｒ）と左押流れ（ｈ−ｌ）と右片流れ（ｎ−ｒ）と左片流れ（ｌ−ｍ）と擬固定（ｇ−ｈ）と左流止め（ｈ−ｎ）と右流止め（ｇ−ｍ）と左右固定（ｍ−ｎ）を構成する左偏りパイルａと右偏りパイルｂは、製織方向に直接前後隣合う緯糸（Ｌ，Ｒ，Ｚ）に係止されているものであっても、又、製織方向に１〜２本のパイル無係止緯糸（Ｋ）を間において前後隣合う緯糸（Ｌ，Ｒ，Ｚ）に係止されているものであってもよい。
【００４４】
何故なら、その何れの場合においても、各パイル列において前後する左偏りパイルａを構成するパイル糸Ａと右偏りパイルｂを構成するパイル糸Ｂは、前記の通り、経パイル織物の製織過程において、それら２本のパイル糸Ａ・Ｂが上下２枚のベース織地Ｇ・Ｇの間において交叉するので、それ２本のパイル糸Ａ・Ｂの織幅方向（横方向）における位置関係が左右入れ代わることがなく（図２）、それら２本のパイル糸Ａ・Ｂの形成する２個のパイルａ・ｂの織幅方向における位置関係は、図３に図示するように、センターカットによって２本のパイル糸Ａ・Ｂの交叉状態が解除された後においても、製織過程における２本のパイル糸Ａ・Ｂと同じ位置関係に保たれ、それら２個１組となるパイルａとパイルｂの配置が左右入れ代わることがないからである。
【００４５】
しかし、左右流れ（ｌ−ｒ）と右押流れ（ｇ−ｒ）と左押流れ（ｈ−ｌ）と右片流れ（ｎ−ｒ）と左片流れ（ｌ−ｍ）と擬固定（ｇ−ｈ）と左流止め（ｈ−ｎ）と右流止め（ｇ−ｍ）と左右固定（ｍ−ｎ）を構成する左偏りパイルａと右偏りパイルｂは、図６に示す右片流れ（ｎ−ｒ）と左片流れ（ｌ−ｍ）のように、図７に示す右押流れ（ｇ−ｒ）と左押流れ（ｈ−ｌ）のように、或いは、図８に示す左右流れ（ｌ−ｒ）と擬固定（ｇ−ｈ）のように、直接前後隣合う緯糸（Ｌ，Ｒ，Ｚ）に係止されているものであることが望ましい。
【００４６】
左右流れ（ｌ−ｒ）と右押流れ（ｇ−ｒ）と左押流れ（ｈ−ｌ）と右片流れ（ｎ−ｒ）と左片流れ（ｌ−ｍ）と擬固定（ｇ−ｈ）と左流止め（ｈ−ｎ）と右流止め（ｇ−ｍ）と左右固定（ｍ−ｎ）を構成する左流れパイルｌと右流れパイルｒと擬右流れパイルｇと擬左流れパイルｈと固定右パイルｍと固定左パイルｎは、図６に示す右片流れ（ｎ−ｒ）の固定左パイルｎと右流れパイルｒおよび左片流れ（ｌ−ｍ）の左流れパイルｌと固定右パイルｍのように、図７に示す右押流れ（ｇ−ｒ）の擬右流れパイルｇと右流れパイルｒおよび左押流れ（ｈ−ｌ）の擬左流れパイルｈと左流れパイルｌのように、或いは、図８に示す左右流れ（ｌ−ｒ）の左流れパイルｌと右流れパイルｒおよび擬固定（ｇ−ｈ）の擬右流れパイルｇと擬左流れパイルｈのように、隣合うパイル列の左偏りパイルａと右偏りパイルｂの前後関係が隣合うパイル列とパイル列の入れ替わり、前後する左偏りパイルａと右偏りパイルｂが経糸や緯糸に対して傾斜して並ぶ方向が、経糸や緯糸の斜め方向においてパイル列毎に左斜め方向と右斜め方向とに入れ代わるようにすることが望ましい。
【００４７】
図５に図示する経パイル織物では、右流れパイルｒと固定右パイルｍが左斜め方向において２個それぞれ連続し、左流れパイルｌと固定左パイルｎが右斜め方向において２個それぞれ連続しており、図６に図示する経パイル織物では、左流れパイルｌと右流れパイルｒと固定右パイルｍと固定左パイルｎが左斜め方向において２個それぞれ連続しており、図７と図８に図示する経パイル織物では、左流れパイルｌと右流れパイルｒと擬右流れパイルｇと擬左流れパイルｈが左斜め方向において２個それぞれ連続している。しかし、図９に図示するように、製織方向、織幅方向、および、それらの方向に交叉する斜め方向の何れの方向においても、隣合うパイルの形態を変えることが望ましい。
【００４８】
尚、図７は、図４に図示する経パイル織物の裏面図を裏返した経パイル織物の表面図であり、図４と図７では、パイル列Ｐ1 ，Ｐ2 ，Ｐ3 ，Ｐ4 ………の配列順序と経糸Ｅ  Ｆの配列順序が逆になっており、又、右流れパイルｒと擬右流れパイルｇの位置、および、擬左流れパイルｈと左流れパイルｌの位置が左右入れ代わっている。
【図面の簡単な説明】
【００４９】
【図１】本発明に係る経パイル織物の要部断面関係図である。
【図２】本発明に係る経パイル織物の製織過程における斜視図である。
【図３】本発明に係る経パイル織物の要部斜視図である。
【図４】本発明に係る経パイル織物の裏面拡大図である。
【図５】本発明に係る経パイル織物の平面図である。
【図６】本発明に係る経パイル織物の平面図である。
【図７】本発明に係る経パイル織物の平面図である。
【図８】本発明に係る経パイル織物の平面図である。
【図９】本発明に係る経パイル織物の平面図である。
【符号の説明】
【００５０】
１〜１２：緯糸
Ａ：左側配列パイル糸
Ｂ：右側配列パイル糸
Ｅ・Ｆ：経糸
Ｇ：ベース織地
Ｋ：パイル無係止緯糸
Ｌ：左上がり−右下がりのパイル係止緯糸
Ｒ：右上がり−左下がりのパイル係止緯糸
Ｚ：両端下がりのパイル係止緯糸
Ｐ：パイル列
Ｑ：無パイル列
ａ：左偏りパイル
ｂ：右偏りパイル
ｌ：左流れパイル
ｇ：擬右流れパイル
ｎ：固定左パイル
ｒ：右流れパイル
ｈ：擬左流れパイル
ｍ：固定右パイル
【図１】
2007009354.tif 000003
【図２】
2007009354.tif 000004
【図３】
2007009354.tif 000005
【図４】
2007009354.tif 000006
【図５】
2007009354.tif 000007
【図６】
2007009354.tif 000008
【図７】
2007009354.tif 000009
【図８】
2007009354.tif 000010
【図９】
2007009354.tif 000011